(57)【要約】【課題】利用時間に応じて料金が変動する施設の利用に対して効率よく課金を処理する。【解決手段】無線通信装置５Ａ〜５Ｃの無線タグリーダ・ライタ６は、複数の施設の各入退場口近傍にそれぞれ設置されるアンテナ７ａ，７ｂを介して、入退場口を通過する施設利用者が所持する無線タグから当該施設利用者の識別情報を読取る。課金情報記憶部１０は、複数の施設毎に利用時間に応じて設定される課金情報を記憶する。無線タグリーダ・ライタ６の制御部は、無線通信装置５Ａ〜５Ｃで識別情報を読取った事象に基づいてその識別情報で特定される施設利用者の施設毎の利用時間を検出し、この施設毎の利用時間で課金情報記憶部を検索して、その利用時間に応じた課金情報から施設利用者への課金金額を施設毎に求める。そして、施設毎の課金金額を施設利用者毎に累積する。【選択図】      図１
2010176196.tif 000002
【特許請求の範囲】
【請求項１】
複数の施設の各入退場口近傍にそれぞれ設置されるアンテナを介して、前記入退場口を通過する施設利用者が所持する無線タグから当該施設利用者の識別情報を読取る無線通信装置と、
前記複数の施設毎に利用時間に応じて設定される課金情報を記憶する課金情報記憶部と、
前記無線通信装置で前記識別情報を読取った事象に基づいてその識別情報で特定される施設利用者の施設毎の利用時間を検出する利用時間検出手段と、
この利用時間検出手段により検出される施設毎の利用時間で前記課金情報記憶部を検索して、その利用時間に応じた課金情報から施設利用者への課金金額を施設毎に求める課金金額取得手段と、
この課金金額取得手段により求められる施設毎の課金金額を前記施設利用者毎に累積する課金金額累積手段と、
を具備したことを特徴とする自動課金システム。
【請求項２】
前記複数の施設を備えた複合施設から退出する施設利用者を特定する利用者特定手段と、
この利用者特定手段により複合施設から退出する施設利用者が特定されると、その施設利用者への課金金額として前記課金金額累積手段により累積された金額を表示する累積金額表示手段と、
をさらに具備することを特徴とする請求項１記載の自動課金システム。
【請求項３】
各施設利用者の識別情報に関連付けて、当該施設利用者が有する属性情報を記憶する利用者属性記憶部と、
前記属性情報を基に設定される割引条件毎に割引情報を記憶する割引情報記憶部と、
前記利用者特定手段により複合施設から退出する施設利用者が特定されると、その施設利用者が有する属性情報を前記利用者属性記憶部から検出する利用者属性検出手段と、
この利用者属性検出手段により検出した属性情報によりいずれかの割引条件を満足するか否かを判定し、満足するとき、その割引条件に応じた割引情報で前記課金金額累積手段により累積された金額を割り引く割引処理手段と、
をさらに具備したことを特徴とする請求項２記載の自動課金システム。
【請求項４】
前記課金金額取得手段が求める課金情報は、利用時間検出手段により検出される施設毎の利用時間とその施設を利用した時間帯とによって決定されることを特徴とする請求項１乃至３のうちいずれか１記載の自動課金システム。
【発明の詳細な説明】
【技術分野】
【０００１】
本発明は、無線タグを用いて、スポーツジムや温浴施設等の利用に対する課金を処理する自動課金システムに関する。
【背景技術】
【０００２】
無線タグを用いて、施設の利用に対する課金を処理する自動課金システムは、例えば特許文献１に記載されている。  
特許文献１は、遊戯施設における各アトラクションの自動改札機に、利用者が携帯する無線端末に設けられた無線タグから無線タグＩＤを読取る機能を設け、自動改札機で読取った無線タグＩＤを決済サーバに送信し、決済サーバにて課金を行うことで、施設においてチケットの購入自体を不要にする自動課金システムを開示する。
【先行技術文献】
【特許文献】
【０００３】
【特許文献１】特開２００３−１９６５５５号公報（段落［００５３］〜［００５７］）
【発明の概要】
【発明が解決しようとする課題】
【０００４】
スポーツジムや温浴施設等では、通常、利用時間によって料金が変動する。例えば、利用する時間帯によって基本料金が変わったり、超過時間に応じて割増料金が発生したりする。特許文献１に開示される先行技術は、利用時間による料金の変動について全く考慮されていない。このため、利用時間によって料金が変動する施設には、特許文献１に開示される自動課金システムを適用することができない。
【０００５】
本発明はこのような事情に基づいてなされたもので、その目的とするところは、利用時間に応じて料金が変動する施設の利用に対して効率よく課金を処理できる自動課金システムを提供することにある。
【課題を解決するための手段】
【０００６】
本発明の自動課金システムは、複数の施設の各入退場口近傍にそれぞれ設置されるアンテナを介して、入退場口を通過する施設利用者が所持する無線タグから当該施設利用者の識別情報を読取る無線通信装置と、複数の施設毎に利用時間に応じて設定される課金情報を記憶する課金情報記憶部と、無線通信装置で識別情報を読取った事象に基づいてその識別情報で特定される施設利用者の施設毎の利用時間を検出する利用時間検出手段と、この利用時間検出手段により検出される施設毎の利用時間で課金情報記憶部を検索して、その利用時間に応じた課金情報から施設利用者への課金金額を施設毎に求める課金金額取得手段と、この課金金額取得手段により求められる施設毎の課金金額を施設利用者毎に累積する課金金額累積手段とを備えたものである。
【発明の効果】
【０００７】
かかる手段を講じた本発明によれば、利用時間に応じて料金が変動する施設の利用に対して効率よく課金を処理できる自動課金システムを提供できる。
【図面の簡単な説明】
【０００８】
【図１】本発明の一実施の形態である自動課金システムの構成図。
【図２】無線通信装置の構成例を示す模式図。
【図３】会員データベースに記憶される会員レコードのデータ構造を示す図。
【図４】設定データベースに記憶される基本料金ファイルのデータ構造を示す図。
【図５】設定データベースに記憶される割増料金ファイルのデータ構造を示す図。
【図６】設定データベースに記憶される会員区分ファイルのデータ構造を示す図。
【図７】設定データベースに記憶される割引条件ファイルのデータ構造を示す図。
【図８】無線タグリーダ・ライタの要部構成を示すブロック図。
【図９】会員カードの構成を示す模式図。
【図１０】会員カードのＩＣチップメモリに記憶されるデータ構造を示す図。
【図１１】第１の無線通信装置を構成する無線タグリーダ・ライタの制御部が実行する主要な処理手順を示す流れ図。
【図１２】第２の無線通信装置を構成する無線タグリーダ・ライタの制御部が実行する主要な処理手順を示す流れ図。
【図１３】図１２における課金処理の手順を具体的に示す流れ図。
【図１４】図１１における精算処理の手順を具体的に示す流れ図。
【発明を実施するための形態】
【０００９】
以下、本発明を実施するための一形態について説明する。なお、この実施の形態は、図１に示すように、３つの有料施設Ａ〜Ｃを備えた会員制複合施設１の自動課金システムに本発明を適用した場合である。
【００１０】
図１は、システム構成図である。本実施の形態において、自動課金システムは、複合施設１の玄関口２に第１の無線通信装置３を設けている。また、各有料施設Ａ〜Ｃの入退場口４Ａ，４Ｂ，４Ｃにそれぞれ第２の無線通信装置５Ａ，５Ｂ，５Ｃを設けている。
【００１１】
第１の無線通信装置３と第２の無線通信装置５Ａ〜５Ｃとは、いずれも図２に示すように、無線タグリーダ・ライタ６と、この無線タグリーダ・ライタ６に接続される一対のゲート式アンテナ７ａ，７ｂとを備える。ゲート式アンテナ７ａ，７ｂは、玄関口２または入退場口４Ａ〜４Ｃの近傍に対向して設置してある。玄関口２または入退場口４Ａ〜４Ｃを出入する会員等の施設利用者は、必ずアンテナ７ａ，７ｂ間を１名ずつ通過する。
【００１２】
自動課金システムは、複合施設１の事務室に課金サーバ８を設置している。そして、この課金サーバ８に、第１の無線通信装置３及び第２の無線通信装置５Ａ〜５Ｃの各無線タグリーダ・ライタ６を、ＬＡＮ（Local Area Network）等のネットワークを介して接続している。課金サーバ８は、会員データベース９と設定データベース１０とを管理する。
【００１３】
会員データベース９は、会員毎に作成される会員レコードを保存する。会員レコードは、図３に示すように、会員番号、会員氏名，年齢、性別、有効期限、会員区分等の会員固有データと、複合施設１の利用日、総利用時間、料金等の利用履歴データとからなる。利用履歴データは、会員が複合施設１を利用する都度、会員レコードに追加される。
【００１４】
設定データベース１０は、基本料金ファイル１１、割増料金ファイル１２、会員区分ファイル１３及び割引条件ファイル１４を保存する。基本料金ファイル１１は、図４に示すように、有料施設Ａ〜Ｃ毎に設定される時間帯（開始時刻〜終了時刻）別の基本料金情報を記憶する。割増料金ファイル１２は、図５に示すように、段階的に区分した施設滞在時間毎に設定される割増料金情報を記憶する。会員区分ファイル１３は、図６に示すように、任意の会員区分毎に設定される利用条件情報を記憶する。利用条件情報は、利用可能曜日、利用可能時間及び無料施設ＩＤの各項目を含む。割引条件ファイル１４は、図７に示すように、性別、年齢、会員区分、曜日等の項目を組合せた割引条件毎に設定される割引率情報を記憶する。
【００１５】
図８は、無線タグリーダ・ライタ６の要部構成を示すブロック図である。無線タグリーダ・ライタ６は、サーバ通信部２１、記憶部２２、時計部２３、無線送受信部２４、報知部２５及びこれらを制御する制御部２６を少なくとも備えている。
【００１６】
サーバ通信部２１は、ネットワークを介して接続される課金サーバ８とのデータ通信を制御する。記憶部２２は、プログラム等の固定的データを記憶するＲＯＭ領域と、可変的なデータを記憶するＲＡＭ領域とを有する。時計部２３は、現在の日付及び時刻を計時する。無線送受信部２４は、無線タグに対する送信データで搬送波を変調し、アンテナ７ａ，７ｂから電波として放射させる機能と、アンテナ７ａ，７ｂで受信した電波に相当する受信信号から搬送波成分を除去して無線タグからの受信データを復調する機能とを有する。報知部２５は、ブザー、ＬＥＤ等を駆動して様々な報知動作を行う。
【００１７】
かかる構成の無線タグリーダ・ライタ６は、アンテナ７ａ，７ｂ間を会員が通過する際に、この会員が所持する会員カード３０に内蔵された無線タグ３３とアンテナ７ａ，７ｂを介して無線通信を行う。そして、無線タグのメモリに記憶されているタグデータを非接触で読み取ったり、無線タグのメモリにタグデータを非接触で書き込んだりする。
【００１８】
特に、第２の無線通信装置５Ａ〜５Ｃの無線タグリーダ・ライタ６は、記憶部２２に、当該リーダ・ライタ６のアンテナ７ａ，７ｂが設けられている施設Ａ〜Ｃの識別情報として施設ＩＤを記憶している。
【００１９】
一方、第１の無線通信装置３の無線タグリーダ・ライタ６は、制御部２６に表示器インターフェイス２７を介して料金表示器２８を接続している。料金表示器２８は、図１に示すように、玄関口２のアンテナ７ａ，７ｂ間を通って施設外に出る施設利用者が視認できる位置に設置してある。
【００２０】
図９は、各会員がそれぞれ所有する会員カード３０の模式図である。会員カード３０は、カード本体にアンテナ３１とＩＣチップメモリ３２とからなる無線タグ３３を内蔵したＲＦＩＤカードによって構成される。ＩＣチップメモリ３２は、図１０に示すように、当該会員カード３０を所有する会員の識別情報である会員番号を記憶する。また、ＩＣチップメモリ３２は、入場フラグ、入場日時及び複数の当日利用情報を記憶するための領域を有する。
【００２１】
図１１は、第１の無線通信装置３における無線タグリーダ・ライタ６の制御部２６が実行する主要な処理手順を示す流れ図である。制御部２６は、ＳＴ（ステップ）１として玄関口２の近傍に設けた一対のゲートアンテナ７ａ，７ｂを介して会員カード３０の無線タグ３３が検出されるのを待機する。無線タグ３３が検出されたならば（ＳＴ１のＹＥＳ）、制御部２６は、ＳＴ２として、その無線タグ３３と無線通信を行ってＩＣチップメモリ３２を読取る。そして、当該ＩＣチップメモリ３２の会員番号で課金サーバ８にアクセスして、会員データベース９から当該会員番号に対応する会員レコードを取り込む。また、制御部２６は、ＳＴ３として当該メモリ３２の入場フラグを調べる。ここで、入場フラグが“１”にセットされていた場合には（ＳＴ３のＮＯ）、会員が玄関口２から施設外へ退出する。この場合、制御部２６は、後述する精算処理を実行する。
【００２２】
入場フラグが“０”にリセットされていた場合には（ＳＴ３のＹＥＳ）、会員が玄関口２から施設内へ進入する。この場合、制御部２６は、ＳＴ４として時計部２３から現在の日付及び時刻を検知する。また、ＳＴ５として取り込んだ会員レコードから会員区分を抽出する。そして、この会員区分で課金サーバ８にアクセスして、設定データベース１０の会員区分ファイル１３を検索し、当該会員区分に対応して記憶している利用可能曜日及び利用可能時間の情報を取り込む。
【００２３】
利用可能曜日及び利用可能時間の情報を取り込んだならば、制御部２６は、ＳＴ６として現在日付の曜日が利用可能曜日であるか否か、また、現在時刻が利用可能時間内であるか否かを判断する。ここで、現在日付の曜日が利用可能曜日でない、あるいは現在時刻が利用可能時間内でない場合には（ＳＴ６のＮＯ）、当該会員は施設Ａ〜Ｃを利用できない。この場合、制御部２６は、ＳＴ７として報知部２５を動作させて施設の利用不可能を報知する。以上で、制御部２６は、今回の処理を終了する。
【００２４】
これに対し、現在日付の曜日が利用可能曜日であり、かつ現在時刻が利用可能時間内である場合には（ＳＴ６のＹＥＳ）、当該会員は施設Ａ〜Ｃを利用できる。この場合、制御部２６は、ＳＴ８として報知部２５を動作させて、施設の利用可能を報知する。また、ＳＴ９として当該会員の会員カード３０に内蔵された無線タグ３３と無線通信を行って、ＩＣチップメモリ３２に現在日時を入場日時として記録する。さらに、ＳＴ１０としてそのＩＣチップメモリ３２の入場フラグを“１”にセットする。以上で、制御部２６は、今回の処理を終了する。
【００２５】
図１２は、第２の無線通信装置５Ａ〜５Ｃにおける無線タグリーダ・ライタ６の制御部２６が実行する主要な処理手順を示す流れ図である。いずれの制御部２６も同一処理を実行するので、ここでは、第２の無線通信装置５Ａにおける無線タグリーダ・ライタ６の制御部２６の処理として説明する。
【００２６】
制御部２６は、ＳＴ１１として対応する施設Ａの入退場口４Ａの近傍に設けた一対のゲートアンテナ７ａ，７ｂを介して会員カード３０の無線タグ３３が検出されるのを待機する。無線タグ３３が検出されたならば（ＳＴ１１のＹＥＳ）、制御部２６は、ＳＴ１２として、その無線タグ３３と無線通信を行ってＩＣチップメモリ３２を読取る。そして、このメモリ３２の入場フラグを調べる。ここで、入場フラグが“０”にリセットされていた場合には、施設Ａを利用できない会員が入退場口４Ａを通過する（ＳＴ１２のＮＯ）。この場合、制御部２６は、ＳＴ１３として報知部２５を動作させて異常を報知する。以上で、制御部２６は、今回の処理を終了する。
【００２７】
これに対し、入場フラグが “１”にセットされていた場合には（ＳＴ１２のＹＥＳ）、施設Ａを利用できる会員が入退場口４Ａを通過する。この場合、制御部２６は、ＳＴ１４として時計部２３から現在の日付及び時刻を検知する。また、ＳＴ１５として読取ったＩＣチップメモリ３２の当日利用情報を検索する。そして、ＳＴ１６として終了時刻が未了の当日利用情報が存在するか否かを判断する。
【００２８】
終了時刻が未了の当日利用情報が存在しない場合（ＳＴ１６のＮＯ）、当該会員は、入退場口４Ａから施設Ａ内に入場するところである。この場合、制御部２６は、ＳＴ１７として記憶部２２内の施設ＩＤ（＝Ａ）と、開始時刻、終了時刻及び料金の各項目とからなる当日利用情報を生成する。このとき、開始時刻を時計部２３から検知した現在時刻とし、終了時刻を未了（例えば“――――”）とし、料金を不確定（例えば“−”）とする。制御部２６は、ＳＴ１８として、当該会員の会員カード３０に内蔵された無線タグ３３と無線通信を行って、生成した当日利用情報をＩＣチップメモリ３２に書き込む。以上で、制御部２６は、今回の処理を終了する。
【００２９】
一方、終了時刻が未了の当日利用情報が存在する場合（ＳＴ１６のＹＥＳ）、当該会員は、入退場口４Ａから施設Ａ外へ退場するところである。この場合、制御部２６は、ＳＴ１９としてこの終了時刻が未了の当日利用情報の施設ＩＤが、記憶部２２内の施設ＩＤ（＝Ａ）と一致するか否かを判断する。一致しない場合（ＳＴ１９のＮＯ）、ＩＣチップメモリ３２のデータが異常を来たしている。この場合、制御部２６は、ＳＴ１３に進み、報知部２５を動作させて異常を報知する。以上で、制御部２６は、今回の処理を終了する。
【００３０】
これに対し、一致する場合には（ＳＴ１９のＹＥＳ）、制御部２６は、図１３で具体的に示す課金処理を実行する。先ず、制御部２６は、ＳＴ２１としてＩＣチップメモリ３２の会員番号で課金サーバ８にアクセスして、会員データベース９から当該会員番号に対応する会員レコードを取り込む。次に、制御部２６は、ＳＴ２２として取り込んだ会員レコードの会員区分で課金サーバ８にアクセスして、設定データベース１０の会員区分ファイル１３を検索し、当該会員区分に対応して記憶している無料施設ＩＤの情報を取り込む。
【００３１】
無料施設ＩＤの情報を取り込んだならば、制御部２６は、ＳＴ２３としてこの無料施設ＩＤのなかに記憶部２２で記憶する施設ＩＤ（＝Ａ）が存在するか否かを判断する。存在しない場合（ＳＴ２３のＮＯ）、入退場口４Ａから退場する会員は、当該施設Ａを有料で利用する。この場合、制御部２６は、ＳＴ２４として終了時刻が未了の当日利用情報の開始時刻から現在時刻までの経過時間を施設滞在時間として算出する。そして制御部２６は、ＳＴ２５としてこの施設滞在時間が予め設定された課金時間（例えば５分）未満であるか否かを判断する。
【００３２】
施設滞在時間が課金時間以上の場合（ＳＴ２５のＮＯ）、利用料金が発生する。この場合、制御部２６は、ＳＴ２６として記憶部２２で記憶する施設ＩＤで課金サーバ８にアクセスして、設定データベース１０の基本料金ファイル１１を検索し、当該施設ＩＤの時間帯別基本料金情報を取り込む。そして、ＳＴ２７として終了時刻が未了の当日利用情報の開始時刻が含まれる時間帯の基本料金情報から基本料金Ｍを求める。
【００３３】
また、制御部２６は、ＳＴ２８として当該施設滞在時間で課金サーバ８にアクセスして、設定データベース１０の割増料金ファイル１２を検索し、当該施設滞在時間に対応する割増料金情報を取り込む。そして、ＳＴ２９としてこの割増料金情報から割増料金Ｎを求める。
【００３４】
しかして制御部２６は、ＳＴ３０として基本料金Ｍに割増料金Ｎを加算して、当該施設Ａの利用料金（Ｍ＋Ｎ）を算出する。そして制御部２６は、ＳＴ３１として当該会員の会員カード３０に内蔵された無線タグ３３と無線通信を行って、未了の当日利用情報の終了時刻データを現在時刻に書き換える。また、料金データを利用料金（Ｍ＋Ｎ）に書き換える。以上で、制御部２６は、今回の処理を終了する。
【００３５】
一方、無料施設ＩＤのなかに記憶部２２で記憶する施設ＩＤ（＝Ａ）が存在する場合（ＳＴ２３のＹＥＳ）、当該会員は施設Ａを無料で利用できる。また、施設滞在時間が課金時間未満の場合（ＳＴ２５のＹＥＳ）も、施設Ａの利用料金は無料である。これらの場合、制御部２６は、ＳＴ３２として当該会員の会員カード３０に内蔵された無線タグ３３と無線通信を行って、未了の当日利用情報の終了時刻データを現在時刻に書き換える。また、料金データを“０”に書き換える。以上で、制御部２６は、今回の処理を終了する。
【００３６】
図１４は、精算処理の手順を具体的に示す流れ図である。前述したように、第１の無線通信装置３における無線タグリーダ・ライタ６の制御部２６は、入場フラグが“１”にセットされている会員カード３０のＩＣチップメモリ３２を読取ると、この精算処理を開始する。
【００３７】
先ず、制御部２６は、ＳＴ４１として金額データＰを“０”とする。また、ＳＴ４２として情報数データＱをＩＣチップメモリ３２に記憶されている当日利用情報の情報数とする。さらに、ＳＴ４３としてカウントデータＲを“０”とする。これらの金額データＰ、情報数データＱ及びカウントデータＲは、いずれも記憶部２２で記憶する。
【００３８】
次に、制御部２６は、ＳＴ４４としてカウントデータＲを“１”だけカウントアップする。そして、ＳＴ４５としてカウントデータＲが情報数データＱを超えたか否かを判断する。カウントデータＲが情報数データＱを超えていない場合（ＳＴ４５のＮＯ）、制御部２６は、ＳＴ４６としてＩＣチップメモリ３２からＲ番目（Ｒはカウントデータの値）の当日利用情報を読み出す。そして、この当日利用情報の料金データを金額データＰに加算する。しかる後、ＳＴ４４に戻り、カウントデータＲを“１”だけカウントアップする。
【００３９】
以後、制御部２６は、カウントデータＲをカウントアップする毎に、カウントデータＲが情報数データＱを超えたか否かを判断し、越えていない場合にはＳＴ４６の処理、すなわち、ＩＣチップメモリ３２からＲ番目の当日利用情報を読み出して、この当日利用情報の料金データを金額データＰに加算する処理を繰り返す。
【００４０】
カウントデータＲが情報数データＱを超えると（ＳＴ４５のＹＥＳ）、制御部２６は、ＳＴ４７として会員データベース９から取り込んだ会員レコードの会員固有データ（性別、年齢、会員区分等）や現在日付の曜日等の属性項目情報で課金サーバ８にアクセスして、設定データベース１０の割引条件ファイル１４を検索する。そして、ＳＴ４８としてこれら属性項目情報がいずれかの割引条件を満足するか否かを判断する。
【００４１】
割引条件を満足する場合（ＳＴ４８のＹＥＳ）、制御部２６は、ＳＴ４９としてその割引条件に対して設定された割引率を取得する。そして、この割引率で金額データＰの金額を割引演算する。割引条件を満足しない場合には、ＳＴ４９の処理を実行しない。
【００４２】
その後、制御部２６は、ＳＴ５０として金額データＰを当該会員の施設利用合計金額として表示器２８に表示させる。また、ＳＴ５１として当該会員の会員カード３０に内蔵された無線タグ３３と無線通信を行って、ＩＣチップメモリ３２の入場フラグを“０”にリセットし、当日利用情報を全て削除する。
【００４３】
さらに、制御部２６は、ＳＴ５２としてＩＣチップメモリ３２の入場時刻から現在時刻までの経過時間を総利用時間として算出する。そして、現在日付及び総利用時間と金額データＰとから利用履歴データを作成する。しかる後、制御部２６は、ＳＴ５３としてＩＣチップメモリ３２の会員番号で課金サーバ８にアクセスして、会員データベース９の当該会員番号に対応する会員レコードに、今回作成した利用履歴データを追加する。以上で、制御部２６は、今回の処理を終了する。
【００４４】
今、会員が玄関口２から複合施設１内に進入したとする。このとき、当該会員が携帯する会員カード３０のＩＣチップメモリ３２では、入場フラグが“０”にリセットされている。ここで、当該会員の会員区分は“１００”とする。図６の例では、会員区分“１００”は、利用可能曜日が全日であり、利用可能時間も全時間帯である。したがって、当該会員は施設Ａ〜Ｃの利用が可能である。このため、第１の無線通信装置３の無線タグリーダ・ライタ６により、会員カード３０のＩＣチップメモリ３２に入場時刻が記録される。また、入場フラグが“１”にセットされる。
【００４５】
複合施設１内に進入した会員が、始めに入退場口４Ｂから施設Ｂに入場したとする。このとき、当該会員が携帯する会員カード３０のＩＣチップメモリ３２では、入場フラグが“１”にセットされている。また、未了の当日利用情報は存在しない。したがって、第２の無線通信装置５Ｂの無線タグリーダ・ライタ６により、会員カード３０のＩＣチップメモリ３２に、現在時刻を開始時刻とし施設ＩＤを“Ｂ”とする未了の当日利用情報が書き込まれる。
【００４６】
施設Ｂに入場した会員が、入退場口４Ｂから退場したとする。このとき、当該会員が携帯する会員カード３０のＩＣチップメモリ３２では、未了の当日利用情報が存在する。そして、この未了の当日利用情報の施設ＩＤと、第２の無線通信装置５Ｂの無線タグリーダ・ライタ６で記憶している施設ＩＤとが一致する。したがって、第２の無線通信装置５Ｂの無線タグリーダ・ライタ６では、課金処理が実行される。
【００４７】
すなわち、当該会員に対する会員レコードの会員区分“１００”で会員区分ファイル１３が検索される。会員区分ファイル１３を示す図６の例では、会員区分“１００”に対する無料施設ＩＤが“Ｂ”であり、第２の無線通信装置５Ｂの無線タグリーダ・ライタ６で記憶している施設ＩＤと一致する。したがって、無線タグリーダ・ライタ６により、未了の当日利用情報に、終了時刻情報として現在時刻が記録される。また、料金データが“０”になる。つまり、当該会員は、施設Ｂを無料で利用できたことになる。
【００４８】
次に、当該会員が、入退場口４Ａから施設Ａに入場したとする。このとき、当該会員が携帯する会員カード３０のＩＣチップメモリ３２では、入場フラグが“１”にセットされている。また、未了の当日利用情報は存在しない。したがって、第２の無線通信装置５Ａの無線タグリーダ・ライタ６により、会員カード３０のＩＣチップメモリ３２に、現在時刻を開始時刻とし施設ＩＤを“Ａ”とする未了の当日利用情報が書き込まれる。
【００４９】
施設Ａに入場した会員が、入退場口４Ａから退場したとする。このとき、当該会員が携帯する会員カード３０のＩＣチップメモリ３２では、施設ＩＤを“Ａ”とする未了の当日利用情報が存在する。したがって、第２の無線通信装置５Ａの無線タグリーダ・ライタ６では、課金処理が実行される。
【００５０】
すなわち、当該会員に対する会員レコードの会員区分“１００”で会員区分ファイル１３が検索される。図６の例では、会員区分“１００”に対する無料施設ＩＤが“Ｂ”であり、第２の無線通信装置５Ａの無線タグリーダ・ライタ６で記憶している施設ＩＤと一致しない。したがって、施設Ａの利用時間に応じた課金が発生する。
【００５１】
無線タグリーダ・ライタ６では、未了の当日利用情報における開始時刻と現在時刻とから施設滞在時間が算出される。施設滞在時間が課金時間以上の１時間３０分であったとする。また、開始時刻が午前１０時１５分であったとする。基本料金ファイル１１を示す図４の例では、施設ＩＤ＝Ａに対する開始時刻１０時１５分の基本料金情報が“２００”なので、基本料金２００円が算出される。また、割増料金ファイル１２を示す図５の例では、施設滞在時間１時間３０分に対する割増料金情報が“１００”なので、割増料金１００円が算出される。その結果、施設Ａの料金金額として３００円が算出される。しかして、無線タグリーダ・ライタ６により、施設ＩＤを“Ａ”とする未了の当日利用情報に、終了時刻情報として現在時刻が記録され、料金情報として施設Ａの利用金額３００円が記録される。
【００５２】
次に、当該会員が、入退場口４Ｃから施設Ｃに入場したとする。このとき、当該会員が携帯する会員カード３０のＩＣチップメモリ３２では、入場フラグが“１”にセットされている。また、未了の当日利用情報は存在しない。したがって、第２の無線通信装置５Ｃの無線タグリーダ・ライタ６により、会員カード３０のＩＣチップメモリ３２に、現在時刻を開始時刻とし施設ＩＤを“Ｃ”とする未了の当日利用情報が書き込まれる。
【００５３】
施設Ｃに入場した会員が、入退場口４Ｃから退場したとする。このとき、当該会員が携帯する会員カード３０のＩＣチップメモリ３２では、施設ＩＤを“Ｃ”とする未了の当日利用情報が存在する。したがって、第２の無線通信装置５Ｃの無線タグリーダ・ライタ６では、課金処理が実行される。
【００５４】
すなわち、当該会員に対する会員レコードの会員区分“１００”で会員区分ファイル１３が検索される。図６の例では、会員区分“１００”に対する無料施設ＩＤが“Ｂ”であり、第２の無線通信装置５Ｃの無線タグリーダ・ライタ６で記憶している施設ＩＤと一致しない。したがって、施設Ｃの利用時間に応じた課金が発生する。
【００５５】
無線タグリーダ・ライタ６では、未了の当日利用情報における開始時刻と現在時刻とから施設滞在時間が算出される。施設滞在時間が課金時間以上の２時間１５分であったとする。また、開始時刻が午前１２時１５分であったとする。ここで、基本料金ファイル１１において、施設ＩＤ＝Ｃに対する開始時刻１２時１５分の基本料金情報が“３００”と仮定すると、基本料金３００円が算出される。また、割増料金ファイル１２を示す図５の例では、施設滞在時間２時間１５分に対する割増料金情報が“２００”なので、割増料金２００円が算出される。その結果、施設Ｃの料金金額として５００円が算出される。しかして、無線タグリーダ・ライタ６により、施設ＩＤを“Ｃ”とする未了の当日利用情報に、終了時刻情報として現在時刻が記録され、料金情報として施設Ｃの利用金額５００円が記録される。
【００５６】
施設Ａ〜Ｃょそれぞれ利用した会員が、玄関口２から複合施設１の外に退出しようとしたとする。このとき、当該会員が携帯する会員カード３０のＩＣチップメモリ３２では、入場フラグが“１”にセットされている。したがって、第１の無線通信装置３の無線タグリーダ・ライタ６では、精算処理が実行される。
【００５７】
すなわち、ＳＴ４１〜ＳＴ４６の処理により、金額データＰとして８００円が算出される。ここで、当該会員が有する属性情報等から図７に示す割引条件ファイル１４の割引条件２が成立したとする。その場合、割引率情報が“２０％”なので、金額データＰは、２０％の割引演算がなされて６４０円となる。そして、表示器２８に本日の施設利用金額６４０円が表示される。したがって、当該会員は、本日の施設利用金額が６４０円であることを認識できる。
【００５８】
また、第１の無線通信装置３の無線タグリーダ・ライタ６により、当該会員が携帯する会員カード３０のＩＣチップメモリ３２から入場フラグが“０”にリセットされる。また、当日利用情報が全てクリアされる。さらに、会員データベース９における当該会員の会員レコードに、本日の利用履歴データが追加される。
【００５９】
このように本実施の形態の自動課金システムは、複合施設１の玄関口２の近傍に設置されるアンテナ７ａ，７ｂを介して、玄関口２を通過する施設利用者が所持する無線タグ３３から当該施設利用者の識別情報である会員番号を読取る第１の無線通信装置３と、複数の施設Ａ〜Ｃの各入退場口４Ａ〜４Ｃの近傍にそれぞれ設置されるアンテナ７ａ，７ｂを介して、入退場口４Ａ〜４Ｃを通過する施設利用者が所持する無線タグ３３から当該施設利用者の識別情報である会員番号を読取る第２の無線通信装置５Ａ〜５Ｃとを備えている。また、複数の施設Ａ〜Ｃ毎に利用時間に応じて設定される課金情報を記憶する課金情報記憶部として、基本料金ファイル１１や割増料金ファイル１２を備えている。
【００６０】
第２の無線通信装置５Ａ〜５Ｃの一部を構成する無線タグリーダ・ライタ６は、その制御部２６が、識別情報である会員番号を読取った事象に基づいてその会員番号で特定される施設利用者の施設毎の利用時間を検出する利用時間検出手段（ＳＴ２１〜ＳＴ２４）と、この利用時間検出手段により検出される施設毎の利用時間で課金情報記憶部（基本料金ファイル１１、割増料金ファイル１２）を検索して、その利用時間に応じた課金情報から施設利用者への課金金額を施設毎に求める課金金額取得手段（ＳＴ２６〜ＳＴ３０）を備えている。
【００６１】
また、第１の無線通信装置３の一部を構成する無線タグリーダ・ライタ６は、その制御部２６が、課金金額取得手段により求められた施設毎の課金金額を施設利用者毎に累積する課金金額累積手段（ＳＴ４１〜ＳＴ４６）を備えている。
【００６２】
したがって、利用時間に応じて料金が変動する施設Ａ〜Ｃの利用に対して、施設利用者は、各施設Ａ〜Ｃの入退場口４Ａ〜４Ｄを通過するだけで正しく課金されるので、格別な端末の操作や作業を必要としなくなり、効率的である。
【００６３】
また、本実施の形態の自動課金システムにおいて、第１の無線通信装置３の一部を構成する無線タグリーダ・ライタ６は、その制御部２６が、複合施設１から退出する施設利用者を特定する利用者特定手段（ＳＴ１〜ＳＴ３）と、この利用者特定手段により複合施設１から退出する施設利用者が特定されると、その施設利用者への課金金額として課金金額累積手段により累積された金額を表示器２８に表示する累積金額表示手段（ＳＴ５０）を備えている。
【００６４】
したがって、施設利用者は、複合施設１の玄関口２から退出する際に、今回の施設利用料金を把握することができる。なお、施設利用料金の精算については、例えば会員データベース９の会員レコードに追加される利用履歴データから、月毎に施設利用料金の総計を算出し、クレジットで支払うようにすればよい。あるいは、玄関口２にプリペイドカードによる精算機を設置し、表示器２８に表示された金額を自動的に減額することで、精算を完了するようにしてもよい。
【００６５】
また、本実施の形態の自動課金システムは、各施設利用者の識別情報である会員番号に関連付けて、当該施設利用者が有する性別、年齢、会員区分等の属性情報を記憶する利用者属性記憶部（会員データベース９）と、属性情報を基に設定される割引条件毎に割引情報を記憶する割引情報記憶部（割引条件ファイル１４）とを備えている。
【００６６】
そして、第１の無線通信装置３の一部を構成する無線タグリーダ・ライタ６は、利用者特定手段により複合施設１から退出する施設利用者が特定されると、その施設利用者が有する属性情報を利用者属性記憶部（会員データベース９）から検出する利用者属性検出手段（ＳＴ４７）と、この利用者属性検出手段により検出した属性情報によりいずれかの割引条件を満足するか否かを判定し、満足するとき、その割引条件に応じた割引情報で課金金額累積手段により累積された金額を割り引く割引処理手段（ＳＴ４８，ＳＴ４９）とを備えている。
【００６７】
したがって、利用時間に応じて料金が変動する施設Ａ〜Ｃの利用に対しての割引サービスを、施設管理者の負担になることなく容易に実現できる効果を奏する。
【００６８】
なお、この発明は前記実施形態そのままに限定されるものではなく、実施段階ではその要旨を逸脱しない範囲で構成要素を変形して具体化できる。
【００６９】
例えば、前記実施の形態では、無線タグリーダ・ライタ６は必要に応じて課金サーバ８にアクセスして、設定データベース１０の各種ファイル１１〜１４を検索したが、設定データベース１０の各種ファイル１１〜１４を、予め無線タグリーダ・ライタ６の記憶部２２にダウンロードしておくことで、課金サーバ８へのアクセスを不要にしてもよい。こうすることにより、無線タグリーダ・ライタ６の処理速度を向上させることができる。
【００７０】
また、前記実施の形態では、会員カード３０のＩＣチップメモリ３２で当日利用情報を記憶したが、課金サーバ８の記憶装置にて、複合施設１内に滞在する全会員の当日利用情報を記憶管理するようにしてもよい。こうすることにより、たとえ施設利用中にＩＣチップメモリ３２のデータが破壊されたとしても、それまでの当日利用情報は消失しないので、正しく課金することができる。
【００７１】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【符号の説明】
【００７２】
１…複合施設、２…玄関口、３…第１の無線通信装置、４Ａ〜４Ｃ…入退場口、５Ａ〜５Ｃ…第２の無線通信装置、６…無線タグリーダ・ライタ、７ａ．７ｂ…ゲート式アンテナ、８…課金サーバ、９…会員データベース、１０…設定データベース、１１…基本料金ファイル、１２…割増料金ファイル、１３…会員区分ファイル、１４…割引条件ファイル、２８…表示器。
【図１】
2010176196.tif 000003
【図２】
2010176196.tif 000004
【図３】
2010176196.tif 000005
【図４】
2010176196.tif 000006
【図５】
2010176196.tif 000007
【図６】
2010176196.tif 000008
【図７】
2010176196.tif 000009
【図８】
2010176196.tif 000010
【図９】
2010176196.tif 000011
【図１０】
2010176196.tif 000012
【図１１】
2010176196.tif 000013
【図１２】
2010176196.tif 000014
【図１３】
2010176196.tif 000015
【図１４】
2010176196.tif 000016